(57)【要約】【課題】システムキッチンのキャビネット内において引き出し式の収納部を設けたために、水受けトレーがキャビネットの底板上部に設置不可であり、給水管、給湯管及び止水栓が点検口上部で水受けトレーと干渉する場合でも、設置可能な水受けトレー９を備えたシステムキッチンを提供する。【解決手段】シンク上面にシャワー水栓を備えたシステムキッチンであって、システムキッチンは引き出し式の収納部を備えると共に、収納部がキャビネット内に収納された状態より後面側にシステムキッチンを構成する底板より上方に突出するように点検口を形成し、点検口の上面には給水管、給湯管、排水管等の配管を立ち上げると共に、上面の位置より上方に給水管、給湯管の止水栓を備えると共に、点検口上面の前端部に配管と干渉しないように水受けトレーを設けた。【選択図】図４
2004011219.tif 000002
【特許請求の範囲】
【請求項１】
シンク上面にシャワー水栓を備えたシステムキッチンであって、
前記システムキッチンは引き出し式の収納部を備えると共に、前記収納部がキャビネット内に収納された状態より後面側に前記システムキッチンを構成する底板より上方に突出するように点検口を形成し、前記点検口の上面には給水管、給湯管、排水管等の配管を立ち上げると共に、前記上面の位置より上方に前記給水管、給湯管の止水栓を備えると共に、前記点検口上面の前端部に前記配管と干渉しないように水受けトレーを設けたことを特徴とするシステムキッチン。
【請求項２】
前記水受けトレーの水受け部上部に、シャワーホースのガイド部を形成したことを特徴とする請求項１に記載のシステムキッチン。
【請求項３】
前記水受けトレーの開口部に、給水管および止水弁との干渉を防ぐ切り欠き部を形成したことを特徴とする請求項１に記載のシステムキッチン。
【発明の詳細な説明】
【０００１】
【発明の属する技術分野】
本発明はシステムキッチンに関し、詳しくはシンク上面にシャワー水栓を備え、特にリフォーム等の場合であっても、該シャワー水栓のホースをキャビネット内に好適に収納するシステムキッチンに関する。
【０００２】
【従来の技術】
従来図１に示すように、キャビネット１０１内には点検口１０２が設けられている。本来、キャビネット１０１内に設置される給水管１１２、給湯管１１３、排水管１１５等の配管はシンク１０７直下に設置されるものであるが、リフォーム等の事情により、キャビネット１０１外に配置された場合、各配管はキャビネット１０１側面より底板１０３の上部にてキャビネット１０１内に配置されることがある。
【０００３】
このような場合でも点検口１０２内で配管の接続を可能せしめるため、キャビネット１０１内には底板１０３より上部に配管を配置できる領域を点検口１０２として確保する必要がある。点検口１０２を備えたシステムキッチンＸ内にシャワー水栓１０５のホースを収納しようとした場合、水受けトレー１０９は点検口１０２をよけた形状にする必要がある。このような場合、特開２００１−２２７０２２や特開平９−２７３１９８に示すのように、キャビネット１０１壁面側の背板１１０に設置するものが知られている。
【０００４】
さらに図１に示すシステムキッチンＸは一端にシャワーヘッド１０４が接続されたシャワーホース１０６をカウンター１０８に挿通させたキャビネット１０１内に引出し可能に収納せしめたものである。カウンター１０８に挿通させたシャワーホース１０６はシャワー水栓１０５の直下領域に開放され、シャワーホース１０６は点検口１０２上部及びキャビネット底板１０３と接触することとなる。このため、シャワー水栓１０５の使用中に引き出されたシャワーホース１０６に付着した水がシャワーホース１０６を伝ってキャビネット１０１内に持ち込まれることがしばしば起こる。
【０００５】
図１、図２に示すようにシャワーホース１０６が給水管１１２、給湯管１１３と止水栓１４４を避けつつ、水受けトレー１０９内に収まるように、水受けトレー１０９をシャワーホース１０６の直下領域、シャワーホース１０６の曲率範囲より広い範囲で底板１０３から点検口１０２の上部の領域内に設置し、底板１０３上部に位置する水受けトレー１０９にシャワーホース１０６が収納されることで、シャワーホース１０６から落下する水が確実に水受けトレー１０９に集められるようにしている。
【０００６】
【発明が解決しようとする課題】
ところで、従来の技術においては図１に示すようにシャワー水栓１０５を挿通するキャビネット１０１内は開放状態となっているため、水受けトレー１０９は点検口１０２前面に突き出した形状を形成することが可能であった。しかしながら、図３に示すように、システムキッチンＸのキャビネット１０１内に引き出し式の収納部１１１の収納空間を確保するため、キャビネット１０１内空間限度まで引き出し式の収納部１１１を形成した場合、引き出し式の収納部１１１は水受けトレー１０９設置空間に干渉することとなる。また、給水管１１２、給湯管１１３及び止水栓１１４の取付け位置がシャワーホース１０６と同軸上のキャビネット１０１の背板１１０側にある場合は特開２００１−２２７０２２や特開平９−２７３１９８に示すようなキャビネット壁面側の背板に設置するものは設置不可となり、また、給水管１１２、給湯管１１３及び止水栓１１４の取付け位置がシャワーホース１０６と同軸上でかつ給水管１１２と給湯管１１３が近接してキャビネット１０１の背板１１０側にある場合、図２に示す水受けトレー１０９では、給水管１１２、給湯管１１３と水受けトレー９が干渉するため、シャワー水栓１０５の直下領域への設置が不可となる。
【０００７】
本発明の目的は、上記問題を解決するためになされたもので、システムキッチンＸのキャビネット１０１内において引き出し式の収納部１１１を設けたために、水受けトレー１０９がキャビネット１０１の底板１０３上部に設置不可であり、給水管１１２、給湯管１１３及び止水栓１１４が点検口１０２上部で水受けトレー１０９と干渉する場合でも、設置可能な水受けトレー９を備えたシステムキッチンを提供することにある。
【０００８】
【課題を解決するための手段及び効果】
本発明が上記目的を達成するために、採用したシステムキッチンＹの特徴とするところは、シンク７上面にシャワー水栓５を備えたシステムキッチンＹであって、前記システムキッチンＹは引き出し式の収納部１１を備えると共に、前記収納部１１がキャビネット１内に収納された状態より後面側に前記システムキッチンＹを構成する底板３より上方に突出するように点検口２を形成し、前記点検口２の上面には給水管１２、給湯管１３、排水管１５等の配管を立ち上げると共に、前記上面の位置より上方に前記給水管１２、給湯管１３の止水栓１４を備えると共に、前記点検口２上面の前端部に前記配管と干渉しないように水受けトレー９を設けたことを特徴としている。
【０００９】
このような構成とすることで、システムキッチンＹに引き出し式の収納部１１を備えた場合で、点検口２の上面には給水管１２、給湯管１３、排水管１５等の配管を立ち上げた場合でも、点検口２の上面に水受けトレー９を設けることが可能となり、前記システムキッチンＹに設置されたシャワー水栓５におけるカウンター８を挿通してキャビネット１内に収納されるシャワーホース６は水受けトレー９の水受け部２３に収納することが可能となるため、シャワーホース６を伝って流れる水を受けることが可能となる。
【００１０】
また、前記水受けトレー９の水受け部２３にシャワーホース６が収納されるため、キャビネット１内に設置された引き出し式の収納部１１にシャワーホース６が干渉することがなくなり、給水管１２、給湯管１３および止水弁１４が点検口２上面で裏板３の方向に移動して設置された場合でも、水受けトレーは点検口２上部前後に移動可能であるため、給水管１２、給湯管１３および止水弁１４に干渉することもない。
【００１１】
また、前記水受けトレー９の水受け部２３上部にはシャワーホースのガイド部を形成しているため、カウンター８を挿通してキャビネット１内に収納されるシャワーホース６が前記水受けトレー９に収納されるたびに、シャワーホース６が上部に引出された状態でもシャワーホース６はガイド部２１と接触しているため、シャワーホース６が引き出し式の収納部１１側に移動することはない。よって、シャワー水栓５を使うたびに、シャワーホース６と引き出し式の収納部１１が干渉することもない。
【００１２】
さらに、水受け部２３の上面には大きく切り欠き部２２を設けてあるので、給水管１２、給湯管１３および止水栓１４の設置位置が水受けトレー９の設置範囲内限度または、設置範囲外の間口方向に広がっている場合においても、給水管１２、給湯管１３および止水栓１４と水受けトレー９は干渉することなく、本来シャワー水栓５のシャワーホース６が位置する場所に、水受けトレー９の水受け部２３を設置することができる。
【００１３】
本発明に係る水受けトレー９は上記構成に基づきキャビネットＹ内に引き出し式の収納部１１が設置される場合でも、シャワーホース６から落下する水をガイド部２１と水受け部２３で確実に受けることができる。
【００１４】
【発明の実施の形態】
以下、本発明の実施形態の一例を説明する。図４、図５、図６はシャワー水栓５を備え、キャビネット１内に引き出し式の収納部１１を備える共に、前記収納部がキャビネット１内に収納された状態より後面側に前記システムキッチンを構成する底板３より上方に突出するように点検口２を形成し、前記点検口２の上面には給水管１２、給湯管１３、排水管１５等の配管が設置されたシステムキッチンＹにおいて、本発明に係る水受けトレー９を設けた例を示すものである。
【００１５】
図４に示すようにシステムキッチンＹは一端にシャワーヘッド４が接続されたシャワーホース６をカウンター８に挿通させたキャビネット１内に引出し可能な状態で収納されている。図６に示すようにキャビネット１内には引き出し式の収納部１１の収納空間を最大限確保する等の理由により、引き出し式の収納部１１が点検口２に近接して設置されているので、水受けトレー９は引き出し式の収納部１１との干渉を避けるために点検口２上部に配置されている。
【００１６】
図５に示すようにシャワーホース６はシャワー水栓５の直下領域に開放されているため、シャワーホース６の直下領域で点検口２上部に設置された水受けトレー９の水受け部２３内に収納されることとなる。
【００１７】
本実施形態の水受けトレー９は図７、図８に示す如き構成を有している。横長の水受けトレー上面２０の水受け部２３の上部にはガイド部２１と切り欠き部２２が形成されていると共に、水受け部２３にわずかな立ち上がりが形成されており、シャワー水栓５のシャワーホース６をつたわった水が水受け部２３にたまるようになされている。
【００１８】
前記の如く構成された本発明に係る水受けトレー９は図７に示すように、裏面２４と点検口２上面に面ファスナー３０，３１等を貼り付け、且つ、点検口２上面にビス等を挿通して固定した固定金具３２と水受け部２３の立ち上がりが嵌合することにより、点検口２上面に取着される。このとき、図４、図５及び図６に示すように、水受けトレー９を点検口２上面手前に位置させることにより、水受けトレー９はシャワーホース６の直下領域に位置するように設定される。このとき、給水管１２、給湯管１３及び止水栓１４が水受けトレー９の取付け位置と重なった場合も水受け部２３上部にある切り欠き部２２にて干渉をさけながらも、面ファスナー３０によって位置を調整することでシャワーホース６の直下領域に設置可能となる。
【００１９】
これにより、シャワー水栓５の使用に伴うシャワーホース６の動きは水受けトレー９内で行なわれ、引き出し式の収納部１１との干渉を避けることができるから、シャワーヘッド４を上げ下げする等の操作を円滑に行なえる。シャワー水栓５の使用中に付着し、シャワーホース６を伝わってキャビネット１内に流れる水はガイド部２１と水受け部２３がシャワーホース６と接触することで水受け部２３内に落下するか、シャワーホース６を伝わって水受け部２３に流れ込む。
【００２０】
本発明の水受けトレー９は水受け部２３を水受けトレー上面で示すように横長に設けたことにより、シャワーホース６の下方領域の必要十分な範囲をカバーできるから、シャワーホース６に付着してキャビネット１内に持ち込まれる水を全て確実に水受け部２３内に集めることが可能である。
【００２１】
このようにして、水受けトレー９の水受け部２３に集められた水は、面ファスナー３０、３１と固定金具３２を脱着させることで、容易に外部で排出することができる。
【００２２】
以上、本発明の一実施形態について説明したが、本発明の実施形態は前述のものに限定されるものではなく、状況に応じて適宜変更することを防げない。
【図面の簡単な説明】
【図１】従来のシステムキッチンにおける水受けトレーの一例を示すものであって、キャビネットの扉を取外した状態の要部を示す斜視図である。
【図２】従来のシステムキッチンにおける水受けトレーの一例を示すものであって、キャビネットの扉を取外した状態の要部を示す斜視図の水受けトレー拡大図である。
【図３】従来のシステムキッチンにおける水受けトレーの一例を示すものであって、キャビネット内の要部を示す側断面図である。
【図４】本発明に係る水受けトレーを適用したシステムキッチンの一例を示すものであって、キャビネットの扉を取外した状態の要部を示す斜視図である。
【図５】本発明に係る水受けトレーを適用したシステムキッチンの一例を示すものであって、キャビネットの扉を取外した状態の要部を示す斜視図の水受けトレー拡大図である。
【図６】本発明に係る水受けトレーを適用したシステムキッチンの一例を示すものであって、キャビネット内の要部を示す側断面図である。
【図７】本発明の水受けトレーの一例を示すものであって、図（Ａ）は平面図、図（Ｂ）は正面図、図（Ｃ）は側面図である。
【図８】本発明の水受けトレーの固定に要する部材の一例を示すものである。
【符号の説明】
Ｘ　　　システムキッチン
１０１　キャビネット
１０２　点検口
１０３　底板
１０４　シャワーヘッド
１０５　シャワー水栓
１０６　シャワーホース
１０７　シンク
１０８　カウンター
１０９　水受けトレー　１１０　背板
１１１　引出し式収納部
１１２　給水管
１１３　給湯管
１１４　止水栓
１１５　排水管
Ｙ　システムキッチン
１　キャビネット
２　点検口
３　底板
４　シャワーヘッド
５　シャワー水栓
６　シャワーホース
７　シンク
８　カウンター
９　水受けトレー
１０　背板
１１　引出し式収納部
１２　給水管
１１３　給湯管
１４　止水栓
１５　排水管
２０　水受けトレー上面
２１　ガイド部
２２　切り欠き部
２３　水受け部
２４　裏面
３０　面ファスナー
３１　面ファスナー
３２　固定金具
【図１】
2004011219.tif 000003
【図２】
2004011219.tif 000004
【図３】
2004011219.tif 000005
【図４】
2004011219.tif 000006
【図５】
2004011219.tif 000007
【図６】
2004011219.tif 000008
【図７】
2004011219.tif 000009
【図８】
2004011219.tif 000010